(57)【要約】      （修正有）【課題】不要なＣＳＧ識別比較を回避するため、無線通信システム及び関連する通信装置におけるＣＳＧ識別比較を軽減する方法を提供する。【解決手段】無線アクセス技術（ＲＡＴ）情報を許可ＣＳＧリスト又はオペレータＣＳＧリストに含めるステップであって、前記許可ＣＳＧリストと前記オペレータＣＳＧリストとはモバイル装置のエレメンタリファイルに格納され、前記ＲＡＴ情報は前記許可ＣＳＧリストにリストされた複数のＣＳＧ識別子に係る複数のＲＡＴを示す、ステップと、前記複数のＲＡＴに従って前記モバイル装置のアクセス層（ＡＳ）レイヤにおいて複数のサブ許可ＣＳＧリストを維持するステップであって、前記サブ許可ＣＳＧリストの個数は前記ＲＡＴの個数に対応する、ステップと、第１ＲＡＴに係るＣＳＧ識別子と、前記第１ＲＡＴに対応する第１サブ許可ＣＳＧリストにリストされたＣＳＧ識別子とを比較するステップとを有する方法に関する。【選択図】図２
2011071987.tif 000002
【特許請求の範囲】
【請求項１】
無線通信システムのモバイル装置のＣＳＧ（Ｃｌｏｓｅｄ  Ｓｕｂｓｃｒｉｂｅｒ  Ｇｒｏｕｐ）識別比較を軽減するための方法であって、
無線アクセス技術（ＲＡＴ）情報を許可ＣＳＧリスト又はオペレータＣＳＧリストに含めるステップであって、前記許可ＣＳＧリストと前記オペレータＣＳＧリストとは前記モバイル装置のエレメンタリファイルに格納され、前記ＲＡＴ情報は前記許可ＣＳＧリストにリストされた複数のＣＳＧ識別子に係る複数のＲＡＴを示す、ステップと、
前記複数のＲＡＴに従って前記モバイル装置のアクセス層（ＡＳ）レイヤにおいて複数のサブ許可ＣＳＧリストを維持するステップであって、前記サブ許可ＣＳＧリストの個数は前記ＲＡＴの個数に対応する、ステップと、
第１ＲＡＴに係るＣＳＧ識別子と、前記第１ＲＡＴに対応する第１サブ許可ＣＳＧリストにリストされたＣＳＧ識別子とを比較するステップと、
を有する方法。
【請求項２】
前記エレメンタリファイルから前記ＲＡＴ情報を有する前記許可ＣＳＧリストと前記オペレータＣＳＧリストとを読み、前記ＲＡＴ情報を有する前記許可ＣＳＧリストと前記オペレータＣＳＧリストとを前記ＡＳレイヤにわたすよう前記モバイル装置の非アクセス層（ＮＡＳ）レイヤを制御するステップをさらに有する、請求項１記載の方法。
【請求項３】
ＮＡＳ処理により前記エレメンタリファイルを変更するステップをさらに有する、請求項１記載の方法。
【請求項４】
ネットワークから、前記エレメンタリファイルの許可ＣＳＧリストのＲＡＴ情報を変更するのに用いられるオーバザエアー（ＯＴＡ）メッセージを受信するステップをさらに有する、請求項１記載の方法。
【請求項５】
無線通信システムにおけるＣＳＧ（Ｃｌｏｓｅｄ  Ｓｕｂｓｃｒｉｂｅｒ  Ｇｒｏｕｐ）識別比較を軽減するための通信装置であって、
無線アクセス技術（ＲＡＴ）情報を許可ＣＳＧリスト又はオペレータＣＳＧリストに含める手段であって、前記許可ＣＳＧリストと前記オペレータＣＳＧリストとはモバイル装置のエレメンタリファイルに格納され、前記ＲＡＴ情報は前記許可ＣＳＧリストにリストされた複数のＣＳＧ識別子に係る複数のＲＡＴを示す、手段と、
前記複数のＲＡＴに従って前記モバイル装置のアクセス層（ＡＳ）レイヤにおいて複数のサブ許可ＣＳＧリストを維持する手段であって、前記サブ許可ＣＳＧリストの個数は前記ＲＡＴの個数に対応する、手段と、
第１ＲＡＴに係るＣＳＧ識別子と、前記第１ＲＡＴに対応する第１サブ許可ＣＳＧリストにリストされたＣＳＧ識別子とを比較する手段と、
を有する通信装置。
【請求項６】
前記エレメンタリファイルから前記ＲＡＴ情報を有する前記許可ＣＳＧリストと前記オペレータＣＳＧリストとを読み、前記ＲＡＴ情報を有する前記許可ＣＳＧリストと前記オペレータＣＳＧリストとを前記ＡＳレイヤにわたすよう前記モバイル装置の非アクセス層（ＮＡＳ）レイヤを制御する手段をさらに有する、請求項５記載の通信装置。
【請求項７】
ＮＡＳ処理により前記エレメンタリファイルを変更する手段をさらに有する、請求項５記載の通信装置。
【請求項８】
ネットワークから、前記エレメンタリファイルの許可ＣＳＧリストのＲＡＴ情報を変更するのに用いられるオーバザエアー（ＯＴＡ）メッセージを受信する手段をさらに有する、請求項５記載の通信装置。
【発明の詳細な説明】
【技術分野】
【０００１】
無線通信システムにおいて使用される方法及び関連する通信装置が提供され、より詳細には無線通信システム及び関連する通信装置においてＣＳＧ（Ｃｌｏｓｅｄ  Ｓｕｂｓｃｒｉｂｅｒ  Ｇｒｏｕｐ）識別比較を軽減するための方法が提供される。
【背景技術】
【０００２】
第３世代パートナーシッププロジェクト（３ＧＰＰ）により始められたロングタームエボリューション（ＬＴＥ）システムは、高データレート、低遅延、パケット最適化及びシステムキャパシティとカバレッジの向上を提供する新たな無線インタフェース及び無線ネットワークアーキテクチャとして現在みなされている。ＬＴＥシステムでは、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、複数のｅＮＢ（Ｅｖｏｌｖｅｄ  Ｎｏｄｅ−Ｂ）を含み、ＵＥ（Ｕｓｅｒ  Ｅｑｕｉｐｍｅｎｔ）とも呼ばれる複数の移動局と通信する。
【０００３】
ＣＳＧ（Ｃｌｏｓｅｄ  Ｓｕｂｓｃｒｉｂｅｒ  Ｇｒｏｕｐ）セルは、限定されたＵＥ群（すなわち、閉じた加入者グループ）に対してのみアクセス可能である。ＵＥがアクセス可能でないＣＧＳセルに登録することを試みるのを防ぐため、ＵＥは、許可ＣＳＧリスト、すなわち、アクセスがＵＥに許可されているＣＳＧ識別子（ｉｄ）のリストを維持する。ＣＳＧ  ｉｄは、ＣＳＧセルにより報知され、関連するＣＳＧの許可されているメンバーのアクセスを可能にするためＵＥにより利用される識別子である。
【０００４】
同じ識別子を共有するすべてのＣＳＧセルは、モビリティ管理とＰＬＭＮの課金のため、単一のグループとして識別可能である。
【０００５】
ＵＥの許可されたＣＳＧリストとオペレータのＣＳＧリストとにないＣＳＧセルへのハンドオーバの試みを回避するため、測定されたＣＳＧセルの予備的なアクセスチェックがＵＥにより実行される必要がある。ネットワークは、典型的には、報告されたセルがＵＥについて許可されたＣＳＧセルであることをＵＥが示す場合に限って、報告されたＣＳＧセルへのハンドオーバの準備を開始する。予備的なアクセスチェックは、ハイブリッドセルには必要でない。ハイブリッドセルは、許可ＣＳＧリスト又はオペレータＣＳＧリストがセルのＣＳＧ識別子を含むＵＥによってはＣＳＧセルとしてアクセスされ、他のすべてのＵＥによっては通常セルとしてアクセスされる。
【０００６】
自律的な通常のセル再選択のケースでは、非エンプティな許可ＣＳＧリストを有するＵＥがＣＳＧセルを検索する。ＵＴＲＡＮとＥ−ＵＴＲＡＮの双方をサポートするＵＥは、ＵＴＲＡＮとＥ−ＵＴＲＡＮ  ＣＳＧセルの双方に在圏することできる。ＣＳＧセル選択／再選択処理中、ＵＥは、セルがそれのＣＳＧグループに属しているかチェックするため、セルのＣＳＧ  ｉｄとそれの許可ＣＳＧリストとを比較する。現在、許可ＣＳＧリストは、ＣＳＧ  ｉｄとそれのＲＡＴとの関連付けを有していない。すなわち、Ｅ−ＵＴＲＡＮのＣＳＧ  ｉｄとＵＴＲＡＮのＣＳＧ  ｉｄとの間には区別がない。ＵＥは、セル選択／再選択のために評価されるセルのＣＳＧ  ｉｄと許可ＣＳＧリストのすべてのＣＳＧ  ｉｄとを比較する。これは、評価されるセルのＣＳＧ  ｉｄと格納されているリスト内の他のＲＡＴに属するＣＳＧ  ｉｄとの不要な比較を含む。
【０００７】
この不要な比較は、セル選択及び再選択処理を遅延させ、バッテリ使用に影響を与える。同じ問題がまた、ＵＥが測定報告中にセルのＣＳＧ  ｉｄと許可ＣＳＧリストとを比較するときの予備的なチェック処理において発生する。不要なＣＳＧ  ｉｄ比較による測定レポートの送信の遅延は、ハンドオーバ遅延や無線リンク失敗を生じさせる可能性がある。
【先行技術文献】
【非特許文献】
【０００８】
【非特許文献１】3GPP  TS  25.304  V8.5.0  (2009-03)  3rd  Generation  Partnership  Project;  Technical  Specification  Group  Radio  Access  network;  User  Equipment  (UE)  procedures  in  idle  mode  and  procedures  for  cell  reselection  in  connected  mode  (Release  8)
【非特許文献２】3GPP  TS  31.102  V8.6.0  (2009-03)  3rd  Generation  Partnership  Project;  Technical  Specification  Group  Core  Network  and  Terminals;  Characteristics  of  the  Universal  Subscriber  Identity  Module  (USIM)  application  (Release  8)
【非特許文献３】3GPP  TS  36.304  V8.5.0  (2009-03)  3rd  Generation  Partnership  Project;  Technical  Specification  Group  Radio  Access  Network;  Evolved  Universal  Terrestrial  Radio  Access  (E-UTRA);  User  Equipment  (UE)  procedures  in  idle  mode  (Release  8)
【発明の概要】
【発明が解決しようとする課題】
【０００９】
不要なＣＳＧ識別比較を回避するため、無線通信システム及び関連する通信装置におけるＣＳＧ識別比較を軽減するための方法が提供される。
【課題を解決するための手段】
【００１０】
無線通信システムのモバイル装置のＣＳＧ（Ｃｌｏｓｅｄ  Ｓｕｂｓｃｒｉｂｅｒ  Ｇｒｏｕｐ）識別比較を軽減するための方法が開示される。本方法は、無線アクセス技術（ＲＡＴ）情報を許可ＣＳＧリスト又はオペレータＣＳＧリストに含めるステップであって、前記許可ＣＳＧリストと前記オペレータＣＳＧリストとは前記モバイル装置のエレメンタリファイルに格納され、前記ＲＡＴ情報は前記許可ＣＳＧリストにリストされた複数のＣＳＧ識別子に係る複数のＲＡＴを示す、ステップと、前記複数のＲＡＴに従って前記モバイル装置のアクセス層（ＡＳ）レイヤにおいて複数のサブ許可ＣＳＧリストを維持するステップであって、前記サブ許可ＣＳＧリストの個数は前記ＲＡＴの個数に対応する、ステップと、第１ＲＡＴに係るＣＳＧ識別子と、前記第１ＲＡＴに対応する第１サブ許可ＣＳＧリストにリストされたＣＳＧ識別子とを比較するステップとを含む。
【００１１】
無線通信システムにおけるＣＳＧ（Ｃｌｏｓｅｄ  Ｓｕｂｓｃｒｉｂｅｒ  Ｇｒｏｕｐ）識別比較を軽減するための通信装置が開示される。本通信装置は、無線アクセス技術（ＲＡＴ）情報を許可ＣＳＧリスト又はオペレータＣＳＧリストに含める手段であって、前記許可ＣＳＧリストと前記オペレータＣＳＧリストとはモバイル装置のエレメンタリファイルに格納され、前記ＲＡＴ情報は前記許可ＣＳＧリストにリストされた複数のＣＳＧ識別子に係る複数のＲＡＴを示す、手段と、前記複数のＲＡＴに従って前記モバイル装置のアクセス層（ＡＳ）レイヤにおいて複数のサブ許可ＣＳＧリストを維持する手段であって、前記サブ許可ＣＳＧリストの個数は前記ＲＡＴの個数に対応する、手段と、第１ＲＡＴに係るＣＳＧ識別子と、前記第１ＲＡＴに対応する第１サブ許可ＣＳＧリストにリストされたＣＳＧ識別子とを比較する手段とを有する。
【発明の効果】
【００１２】
本発明によると、不要なＣＳＧ識別比較を回避するため、無線通信システム及び関連する通信装置におけるＣＳＧ識別比較を軽減するための方法を提供することができる。
【００１３】
本発明の上記及び他の課題は、各種図面に示される好適な実施例の以下の詳細な説明を読んだ後、当業者に明らかになるであろう。
【図面の簡単な説明】
【００１４】
【図１】図１は、一例となる無線通信システムの概略図を示す。
【図２】図２は、一例となる通信装置の概略図を示す。
【図３】図３は、一例となる処理のフローチャートである。
【発明を実施するための形態】
【００１５】
以下、図面に基づいて本発明の実施の形態を説明する。
【００１６】
図１は、一例となる無線通信システム１０の概略図である。無線通信システム１０は、ロングタームエボリューション（ＬＴＥ）システム、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）又は他の移動通信システムなどであり、ネットワークと複数のユーザ装置（ＵＥ）から構成される。図１において、ネットワークとＵＥとは、無線通信システム１０の構成を示すために単に用いられている。特に、ＬＴＥシステムのネットワークは、複数のｅＮＢ（ｅｖｏｌｖｅｄ  Ｎｏｄｅ−Ｂ）からなるＥ−ＵＴＲＡＮ（Ｅｖｏｌｖｅｄ−ＵＴＲＡＮ）などの複数の基地局を有する。ＵＭＴＳシステムのネットワークは、複数のＮＢ（Ｎｏｄｅ−Ｂ）からなるＵＴＲＡＮなどの複数の基地局を有する。ＵＥは、携帯電話やコンピュータシステムなどの装置とすることができる。また、ネットワークとＵＥとは送信方向に応じて送信機又は受信機としてみなすことができる。例えば、アップリックについては、ＵＥは送信機であり、ネットワークは受信機であり、ダウンリンクについては、ネットワークは送信機であり、ＵＥは受信機である。
【００１７】
図２は、一例となる通信装置２０の概略図である。通信装置２０は、図１に示されるＵＥとすることができ、マイクロプロセッサやＡＳＩＣなどのプロセッサ２００と、メモリ部２１０と、通信インタフェース部２２０とを有する。メモリ部２１０は、プロセッサ２００によるアクセスのためのプログラムコード２１４を格納可能な何れかのデータ記憶装置であってもよい。メモリ部２１０の具体例として、限定することなく、加入者識別モジュール（ＳＩＭ）、ＲＯＭ（Ｒｅａｄ−Ｏｎｌｙ  Ｍｅｍｏｒｙ）、ＲＡＭ（Ｒａｎｄｏｍ−Ａｃｃｅｓｓ  Ｍｅｍｏｒｙ）、ＣＤ−ＲＯＭ、磁気テープ、ハードディスク、及び光データ記憶装置があげられる。通信インタフェース部２２０は、好ましくは、プロセッサ２００の処理結果に従ってネットワークと無線通信する無線送受信機である。
【００１８】
図３は、一例となる処理３０のフローチャートである。処理３０は、無線通信システム１０のＵＥのページングの処理に利用され、プログラムコード２１４にコンパイルすることができる。ＵＥは、ＵＴＲＡＮとＥ−ＵＴＲＡＮの双方をサポートし、ＵＴＲＡＮとＥ−ＵＴＲＡＮ双方のＣＳＧセルに在圏可能であってもよい。処理３０は以下のステップを含む。
【００１９】
ステップ３００：スタート
ステップ３０２：許可ＣＳＧリストＬとオペレータＣＳＧリストＬｏとに無線アクセス技術（ＲＡＴ）情報を含める（ＲＡＴ情報は、許可ＣＳＧリストＬとオペレータＣＳＧリストＬｏとにリストされた複数のＣＳＧ識別子に係る複数のＲＡＴを示す）
ステップ３０４：複数のＲＡＴに従ってＵＥのアクセス層（ＡＳ）レイヤにおいて複数のサブ許可ＣＳＧリストを維持する（サブ許可ＣＳＧリストの個数は、ＲＡＴの個数に対応する）
ステップ３０６：ＲＡＴ  Ｒ１に係るＣＳＧ識別子ＩＤ１と、ＲＡＴ  Ｒ１に対応するサブキャかＣＳＧリスト１１にリストされたＣＳＧ識別子とを比較する
ステップ３０８：エンド
処理３０によると、ＵＥは、許可ＣＳＧリストＬとオペレータＣＳＧリストＬｏにＲＡＴ情報を含める。許可ＣＳＧリストＬとオペレータＣＳＧリストＬｏとは、エレメンタリファイル（すなわち、ＥＦＡＣＳＧＬ）に格納される。ＥＦＡＣＳＧＬは、許可ＣＳＧリストＬとオペレータＣＳＧリストＬｏとに属するＣＳＧ識別子の符号化を含む。さらに、許可ＣＳＧリストＬとオペレータＣＳＧリストＬｏとの各ＣＳＧ識別子について、それの対応するホーム基地局名とＣＳＧタイプとのリンクが提供されてもよい。ＣＳＧセルを制御する基地局は、ホーム基地局と呼ばれる。ＲＡＴ情報に加えて、モバイルカントリコード／モバイルネットワークコード（ＭＣＣ／ＭＮＣ）がまた、許可ＣＳＧリストＬに含まれてもよい。好ましくは、ＲＡＴ情報は、許可ＣＳＧリストＬとオペレータＣＳＧリストＬｏとにおけるＣＳＧ識別子に関連付けされたＲＡＴを示す。すなわち、ＲＡＴ情報を許可ＣＳＧリストＬとオペレータＣＳＧリストＬｏとに含めることによって、ＵＥは、ＣＳＧ識別子とそれらの対応するＲＡＴとを関連付ける。ＵＥの非アクセス層（ＮＡＳ）レイヤは、エレメンタリファイルからＲＡＴ情報を含む許可ＣＳＧリストＬとオペレータＣＳＧリストＬｏとを読み、ＵＥのアクセス層（ＡＳ）レイヤにわたす。ＵＥは、ＲＡＴに従ってＡＳレイヤに複数のサブ許可ＣＳＧリストを維持してもよい。サブ許可ＣＳＧリストの個数はＲＡＴの個数に対応する。セル選択又はセル再選択中、ＵＥは、新たなセルを選択し、当該セルのＣＳＧ識別子ＩＤ１を受信する。新たなセルは、ＲＡＴ  Ｒ１を用いてネットワークによりサービス提供を受け、ＵＥは、ＣＳＧ識別子ＩＤ１と、ＲＡＴ  Ｒ１に対応するサブ許可ＣＳＧリスト１１のＣＳＧ識別子とを比較する。測定されたＣＳＧセルの予備的なアクセスチェックが、ＵＥの許可ＣＳＧリストＬにないＣＳＧセルへのハンドオーバの試みを回避するため、ＵＥにより実行される必要がある。一部の具体例では、ＵＥは、予備的なアクセスチェック処理を実行するとき、ＣＳＧ識別子ＩＤ１と、ＲＡＴ  Ｒ１に対応するサブ許可ＣＳＧリスト１１のＣＳＧ識別子とを比較する。従来技術と比較して、ＵＥがセル選択／再選択又は予備的なアクセスチェック処理中に新たなセルを選択すると、ＵＥは単に新たなセルのＣＳＧ識別子とそれの対応するＲＡＴに係るものとを比較するだけである。すなわち、ＵＥは、無関係なＲＡＴに属するＣＳＧ識別子を比較する必要はない。従って、ＵＥは、ＣＳＧ識別比較に費やす時間が少なくなり、不要なＣＳＧ識別比較により生じるハンドオーバ遅延や無線リンク失敗を回避することができる。
【００２０】
例えば、ＵＴＲＡＮとＥ−ＵＴＲＡＮの双方をサポートするＵＥは、セル選択／再選択処理又は予備的なアクセスチェック処理の期間中にＣＳＧセルＣ１を選択する。ＣＳＧセルは、ＣＳＧ識別子ＩＤ１を有する。ＵＥは、ＲＡＴ情報を許可ＣＳＧリストＬとオペレータＣＳＧリストＬｏとに有し、これにより、許可ＣＳＧリストＬのＣＳＧ識別子をＵＴＲＡＮ及びＥ−ＵＴＲＡＮと関連付けることができる。ＵＥのＮＡＳレイヤが許可ＣＳＧリストＬとオペレータＣＳＧリストＬｏとを読み、それをＵＥのＡＳレイヤにわたした後、ＡＳレイヤは２つのサブ許可ＣＳＧリストｌ１及びｌ２を維持する。サブ許可ＣＳＧリストｌ１はＥ−ＵＴＲＡＮに係るＣＳＧ識別子を有し、サブ許可ＣＳＧリスト１２はＵＴＲＡＮに係るＣＳＧ識別子を有する。ＣＳＧセルＣ１がＥ−ＵＴＲＡＮによりサービス提供されている場合、ＵＥは、セルＣ１のＣＳＧ識別子ＩＤ１とサブ許可ＣＳＧリストｌ１のものと比較する。ＣＳＧセルＣ１がＵＴＲＡＮによりサービス提供されている場合、ＵＥは、セルＣ１のＣＳＧ識別子ＩＤ１とサブ許可ＣＳＧリスト１２のものと比較する。ＵＥは、ＣＳＧセルＣ１を提供するＲＡＴ（ＵＴＲＡＮ又はＥ−ＵＴＲＡＮなど）に係るＣＳＧ識別子を比較する。これは、不要な比較を軽減することができる。
【００２１】
さらに、ＲＡＴ情報を有するエレメンタリファイルは、ユーザ又はオペレータにより変更されてもよい。すなわち、ＵＥとネットワークは、エレメンタリファイルの許可ＣＳＧリストＬのＲＡＴ情報を変更又は追加する。ネットワークは、オーバザエアー（ＯＴＡ）メッセージによってエレメンタリファイルを変更してもよい。ＲＡＴ情報を含むＯＴＡメッセージは、エレメンタリファイルの許可ＣＳＧリストのＲＡＴ情報を追加又は修正するため、ＵＥに送信される。ネットワークがＯＴＡメッセージを介しエレメンタリファイルを変更するとき、ネットワークは、ＣＳＧ識別子をＭＣＣ／ＭＮＣ及び新たなＲＡＴ情報に提供する。ＵＥのセキュリティ識別子（ＳＩＭ）がＯＴＡメッセージを取得すると、それは、新たなＲＡＴ情報によりエレメンタリファイルを更新する。他方、ＵＥは、手動によるＣＳＧ識別子選択など、ＮＡＳ処理を介しエレメンタリファイルを変更してもよい。ユーザは、ＵＥのインタフェース又はアプリケーションを介しＣＳＧ識別子を手動により選択してもよい。ＵＥは、エレメンタリファイルを変更するため、手動によるＣＳＧ識別子選択処理をトリガーする。ＵＥが手動によりＣＳＧ識別子を選択する場合、ＵＥは、ローカルな登録が成功すると許可ＣＳＧリストＬにＣＳＧ識別子を追加する。ＵＥがエレメンタリファイルを変更すると、ＵＥのＮＡＳレイヤは、ＣＳＧ識別子及びＭＣＣ／ＭＮＣと共にＲＡＴ情報をＳＩＭカードに提供する。
【００２２】
示唆したステップを含む上述したステップは、ハードウェア、ハードウェア装置と当該ハードウェア装置上の読み出し専用ソフトウェアとして常駐するコンピュータ命令及びデータとの組み合わせとして知られるファームウェア、又は電子システムとすることが可能な手段によって実現可能であることに留意されたい。ハードウェアの具体例として、マイクロ回路、マイクロチップ又はシリコンチップとして知られるアナログ、デジタル、合成回路があげられる。電子システムの具体例として、プロセッサ２００が上述した処理に関するプログラムコード２１４を処理し、処理結果が無線通信システム２０におけるＣＳＧ識別比較を軽減可能なシステムオンチップ（ＳＯＣ）、システムインパッケージ（Ｓｉｐ）、コンピュータオンモジュール（ＣＯＭ）、及び通信装置２０があげられる。
【００２３】
要約すると、ＵＥは、ＲＡＴ情報を許可ＣＳＧリストとオペレータＣＳＧリストとに含めることによって、ＣＳＧ識別子とＲＡＴとを関連付ける。ＵＥがセル選択／再選択処理又は予備的アクセスチェック処理期間中に新たなセルを選択すると、ＵＥは単に新たなセルのＣＳＧ識別子と、そのＲＡＴに対応するサブ許可ＣＳＧリストに含まれるＣＳＧ識別子とを比較する。この結果、ＵＥは、関係のないＲＡＴに属するＣＳＧ識別子を比較する必要がなくなる。これは、不要なＣＳＧ識別子の比較を軽減し、これにより不要なＣＳＧ識別子の比較により生じるハンドオーバ遅延又は無線リンク失敗を回避することができる。
【００２４】
当業者は、本発明の教示を維持しながら本装置及び方法の多数の改良及び変更が可能であることを容易に観察するであろう。従って、上記開示は、添付した請求項の範囲によってのみ限定されると解釈されるべきである。
【符号の説明】
【００２５】
１０  無線通信システム
２０  通信装置
【図１】
2011071987.tif 000003
【図２】
2011071987.tif 000004
【図３】
2011071987.tif 000005